(57)【要約】 【課題】  一眼レフカメラ等の携行品を持ち運ぶ際、ストラップを用いて首から下げる事が多いが、歩行時等にはカメラが大きく振れて体にぶつかったり、傾斜地を移動する際はカメラが地面にぶつかったりする危険がある。また、カメラを持ち運ぶ際にバッグ等に入れておくと、素早く取り出す事が困難でシャッターチャンスを逃さず撮影する事が困難である。  【解決手段】  バッグの肩ひも等に設けられたＤ管やベルト通しを用いてカメラを体に密着させた状態で肩ひも等からカメラを吊り下げる事により安定してカメラを保持し、かつ素早く取り外せる事によりシャッターチャンスを逃さず撮影状態に移す事ができる。また、本発明をカメラ以外の携行品に適用することもできる。【選択図】  図１
2011136130.tif 000002
【特許請求の範囲】
【請求項１】
衣服または衣服の固定具または携行用の物入れのいずれかと携行品とを連結するための連結具であって、前記携行品と前記連結具とを連結するための第１の連結部と、前記衣服または衣服の固定具または携行用の物入れと前記連結具とを連結するための第２の連結部と、前記第１の連結部と前記第２の連結部とを連結するための第３の連結部とを有し、前記第３の連結部は硬質な材料からなり、前記携行品に取り付けられた状態における前記携行品の表面からの全長が１５０ｍｍ未満であることを特徴とする連結具。
【請求項２】
前記硬質な材料のヤング率は２ＧＰａ以上であることを特徴とする請求項１に記載の連結具。
【請求項３】
前記第２の連結部はフックを備えることを特徴とする請求項１に記載の連結具。
【請求項４】
前記第３の連結部は前記第１の連結部と前記第２の連結部との相対位置を可変とする機構を具備することを特徴とする請求項１に記載の連結具。
【請求項５】
カメラスタンドに固定可能な雌ねじを具備することを特徴とする請求項１に記載の連結具。
【請求項６】
前記第１の連結部は雄ねじであることを特徴とする請求項１に記載の連結具。
【請求項７】
前記第２の連結部は前記雄ねじの軸中心からずれた位置に固定されたことを特徴とする請求項６に記載の連結具。
【請求項８】
前記第３の連結部は少なくとも前記第１の連結部または前記第２の連結部のいずれかと一体化されていることを特徴とする請求項１に記載の連結具。
【請求項９】
前記携行品の表面からの全長が１５ｍｍより長く１００ｍｍ未満であることを特徴とする請求項２に記載の連結具。
【請求項１０】
請求項１に記載の連結具を備えることを特徴とする携行品。
【発明の詳細な説明】
【技術分野】
【０００１】
本発明はカメラ等の携行品を身につけるための連結具及びそれが連結された携行品に関する。
【背景技術】
【０００２】
従来、一眼レフカメラ等の比較的重い携行品を持ち運ぶ場合、多くの場合ストラップを用いて首から下げる手法が用いられていたが、ストラップを介してぶら下がっているだけなので、歩行時等は携行品が体にぶつかったり、周囲にぶつかったりして安定性にかける場合が多かった。
【０００３】
また、ストラップで首から下げると携行品の重みが直接首にかかるため首への負担も大きく、首が擦れて痛くなる事があった。
【０００４】
このような問題に対し、特許文献１のように携行品としてのカメラをストラップを介してリュックと固定する方法はあった。
【先行技術文献】
【特許文献】
【０００５】
【特許文献１】特開２００６−１３０２６４号公報
【発明の開示】
【発明が解決しようとする課題】
【０００６】
しかしながら、特許文献１のような構成では、ストラップの折れや、その長さに起因して携行品が人体や周囲の物体に衝突するといった問題があった。
【０００７】
特に、カメラ等を携行する際に、ストラップのような可撓性の高い連結具を用いると、カメラ等が左右に回転し、レンズ等が人体に衝突するという問題があった。
また、バックル等のジョイント部や固定テープ等は携行品の着脱時の操作性に乏しく、速やかな着脱を妨げていた。
【０００８】
例えば、携行品としてのカメラはその目的から屋外で使用する場合が多いが一眼レフカメラの場合は本体およびレンズが比較的大きくポケットに入れる事が困難なため、ストラップを用いて首から下げて持ち運ぶ場合が多い。
【０００９】
しかしストラップのみを用いた場合は移動時にカメラが体にぶつかったり、山登り時等は、斜面でカメラが地面にぶつかったりしてカメラを破損する事がある。またストラップで首の後ろが擦れて首を傷つける事もあった。
【００１０】
また邪魔にならないように携行品をリュック等に入れておく事も考えられるがその場合は、必要な時にすぐに取り出す事が出来ず、携行品がカメラである場合にはシャッターチャンスを逃す事がある。
【００１１】
この為、携帯に便利な形状、大きさで確実に携行品を連結でき、さらに容易に取り外せて体への負担も少なく、周囲の物体との衝突を少なくすることのできる連結具が望まれる。
【課題を解決するための手段】
【００１２】
このような従来の実情に鑑みて提案された本発明の連結具は、衣服または衣服の固定具または携行用の物入れのいずれかと携行品とを連結するための連結具であって、前記携行品と前記連結具とを連結するための第１の連結部と、衣服または衣服の固定具または携行用の物入れと前記連結具とを連結するための第２の連結部と、前記第１の連結部と前記第２の連結部とを連結するための第３の連結部とを有し、前記第３の連結部は硬質な材料からなり、前記携行品に取り付けられた状態における前記携行品の表面からの全長が１５０ｍｍ未満であることを特徴とする。
【００１３】
これにより、連結部が撓まないので、携行品が人体に衝突するときの衝撃を緩和し、かつ携行品が人体や地面等に衝突する機会を減らし、かつ携行品を速やかに衣服等から着脱することができる。
【００１４】
また本発明の連結具は、前記第２の連結部がフックを備えることを特徴とする。
【００１５】
これにより、携行品の着脱がより容易となる。
【００１６】
また本発明の連結具は、前記第３の連結部が前記第１の連結部と前記第２の連結部との相対位置を可変とする機構を具備することを特徴とする。
【００１７】
これにより、携行品をより速やかに衣服等から着脱することができるとともに、携行品の人体や周囲への衝突を抑制し、衝撃を小さくすることができる。
【００１８】
また本発明の連結具は、カメラスタンドに固定可能な雌ねじを具備することを特徴とする。
【００１９】
これにより、連結具を携行品に取り付けたままカメラスタンドに固定することができる。
【００２０】
また本発明の連結具は、前記第１の連結部が雄ねじであることを特徴とする。
【００２１】
これにより、雌ネジを有する携行品に本発明の連結具を容易に取り付けることができる。
【００２２】
また本発明の連結具は、前記第２の連結部が前記雄ねじの軸中心からずれた位置に固定されたことを特徴とする。
【００２３】
これにより、携行品をより速やかに衣服等から着脱することができるとともに、携行品の人体や周囲への衝突を抑制し、衝撃を小さくすることができる。
【００２４】
また本発明の連結具は、前記第３の連結部が少なくとも前記第１の連結部または前記第２の連結部のいずれかと一体化されていることを特徴とする。
【００２５】
これにより、連結具の強度が増すとともに連結部の製造が容易になるという効果がある。
【００２６】
また本発明の携行品は、衣服または衣服の固定具または携行用の物入れのいずれかと携行品とを連結するための連結具が取り付けられた携行品であって、前記連結具は前記携行品と前記連結具とを連結するための第１の連結部と、衣服または衣服の固定具または携行用の物入れと前記連結具とを連結するための第２の連結部と、前記第１の連結部と前記第２の連結部とを連結するための第３の連結部とを有し、前記第３の連結部は硬質な材料からなり、前記携行品に取り付けられた状態における前記携行品の表面からの前記連結具の全長が１５０ｍｍ未満であることを特徴とする。
【００２７】
これにより、連結部が撓まないので、携行品が人体に衝突するときの衝撃を緩和し、かつ携行品が人体や地面等に衝突する機会を減らし、かつ携行品を速やかに衣服等から着脱することができる。
【００２８】
なお、携行品の重量は携行可能なものであれば特に限定されないが、本発明の効果がよりよく奏されるためには約０．１ｋｇ〜２ｋｇであることが好ましい。
【００２９】
本発明におけるフックはカメラをぶら下げて保持出来る十分な強度を有した部材であればよい。
【００３０】
ここでカメラスタンド用の雌ねじとしては、カメラスタンドに固定することができる形状であればよいが、例えば、ＩＳＯ  １２２２もしくはＪＩＳ  Ｂ７１０３に準拠していることが好ましい。
【００３１】
また、雄ねじとしては、携行品の雌ネジに固定することができる形状であればよいが、例えば、ＩＳＯ  １２２２もしくはＪＩＳ  Ｂ７１０３に準拠していることが好ましい。
【００３２】
本発明によるフックには落下防止の為のストッパーが付いていてもよい。
なお、上記は、本発明の必要な特徴の全てを列挙したものではなく、これらの特徴群の組み合わせも発明となりうる。
【発明の効果】
【００３３】
本発明の連結具によれば、携帯に便利な形状、大きさで確実に携行品を連結でき、さらに素早く着脱できて体への負担も少なく、人体や周囲の物体との衝突を少なくし、衝突時の衝撃を小さくすることができる。
また、本発明の連結具によれば、例えば屋外を移動しながらカメラを使用する場合において、リュックサックの肩ひも等にカメラをかけられるという特徴により、移動時は両手が使用でき、カメラを使用する時は簡単に取り外せ、さらに長時間の使用でも首に負担をかける事無く、安全にカメラを保持出来る利点がある。
【００３４】
なお、連結具のフックの開放部が外側に向かうように衣服等に引掛けて使用したときは、人体がストッパーとなり歩行時に容易にフックが外れないという効果がある。
【００３５】
ストッパーのないフックはフックの一部が解放しているため、カメラを衣服等から外す目的でカメラを上方に持ち上げればカメラを容易に衣服等から取り外す事が出来る。
【発明を実施するための最良の形態】
【００３６】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。また、図面を参照して実施形態について説明するが、図中の同一または類似の部分には同一の符号を付して重複する説明を省く場合がある。なお、図面は模式的なものであり、比率等は現実のものとは異なる場合がある。
【００３７】
図１は本発明の連結具の実施形態の例である。ここでは、衣服または衣服の固定具または携行用の物入れとしてリュックサックを例として説明する。図1はリュックサックのリング状部（Ｄ管）６に本発明の連結具１を介して携行品（一眼レフカメラ）２が連結されている状態を示している。携行品（一眼レフカメラ）２と連結具１は、第１の連結部（雄ねじ）８を雌ねじ（カメラ側）４に固定することによって連結されている。
【００３８】
衣服の固定具はベルトなどでもよい。また、携行用の物入れはウェストポーチなどでもよい。携行品の例としてはこの他にビデオカメラ、水筒、双眼鏡、ラジオ、携帯用電子機器などが挙げられる。
【００３９】
第１の連結部８は携行品２と連結可能な形状であればよいが、携行品２が雌ねじを有する場合には雄ねじの形状を有していれば容易に連結することができる。第１の連結部８の材質は携行品の重さに耐えうるものであればよいが、例えばステンレス、アルミ、プラスチック等を用いることができる。
【００４０】
第２の連結部１１は衣服等に連結可能な形状であればよいが、フックの形状を有することが好ましい。第１の連結部１１の材質は携行品の重さに耐えうるものであればよいが、例えばステンレス、アルミ、プラスチック等を用いることができる。また、フックは丸型フックであってもよいし、角型フックであっても良い。
【００４１】
図２に第３の連結部２０の具体例を示す。第１の連結部８と第２の連結部１１は第３の連結部２０を介して互いに連結されている。第３の連結部２０は第１及び第２の連結部と連結可能な形状であればよいが、ここでは、図２の破線で示す部分に第１の連結部（雄ねじ）８を通すための貫通孔１８を有する形状となっている。第１の連結部（雄ねじ）８はつまみ１７を回すことによって、携行品に設けられた雌ねじにねじ留めすることができる。
【００４２】
本発明の連結具が携行品に連結されたときに携行品表面から飛び出す長さを、図２に例示すように長さＬとすると、１５０ｍｍ未満であることが好ましい。長さＬが１５０ｍｍ以上になると歩行時または走行時に携行品の揺れが激しくなり、人体に比較的強く衝突するという問題が生じる。また、着脱に要する時間も長くなるという問題が生じる。
【００４３】
長さＬは１５ｍｍより長く１００ｍｍ未満であることが、より好ましい。長さＬが１５ｍｍ以下になると携行品と衣服等との距離が近くなって、着脱作業が遅くなってしまう。また、長さＬが１００ｍｍ以上になると携行品の揺れが大きくなり、人体への衝撃が比較的大きくなるし、携行品を取り扱うときに操作性が比較的悪くなるという問題が生じる。
【００４４】
フックのサイズは本発明の趣旨を逸脱しない範囲で特に限定されないが、フックが衣服等のリング状部、例えばＤ管等に連結されることを考慮すると、図２に示すフック解放部Ｈ２は、５ｍｍ以上であることが好ましく、歩行時に自然に落ちる事を防ぐ為には２０ｍｍ以下であることが望ましい、また携行品をＤ管６から下げて歩行する場合の安定性の観点からはフック内部幅Ｗは５ｍｍ〜２０ｍｍ程度、フック内部高さＨ１は５ｍｍ〜２５ｍｍ程度が望ましい。
【００４５】
本発明の第３の連結部の太さは本発明の趣旨を逸脱しない範囲で適宜設定することができるが、第１の連結部または第２の連結部と確実に連結する観点からは、第１の連結部または第２の連結部以上の太さであることが望ましい。また本発明の連結具を携行品に取り付けた後の取り扱い易さの観点からは、第３の連結部の太さは携行品の連結面からはみ出さない太さであることが望ましい。
【００４６】
第３の連結部の材質は本発明の効果を奏する程度に硬質なものであれば良いが、ヤング率が２ＧＰａ以上であることが好ましい。具体的にはポリプロピレン以上の堅さであることが好ましい。ヤング率が２ＧＰａ未満であると、連結部の可撓性が高くなり、携行品が約１８０°またはそれ以上回転して、例えばカメラ等のレンズが人体に衝突するなどといった問題が生じやすくなる。また、前後左右への揺れも大きくなり、人体ならびに周囲への衝突の問題も生じやすくなる。
【００４７】
図３は、第３の連結部が前記第１の連結部と前記第２の連結部との相対位置を可変とする機構を具備することを特徴とする本発明の例である。第２の連結部１１と一体化された第３の連結部２０はスリット１９を有している。第１の連結部８はスリット１９を貫通しており、図３の矢印の方向にスライドすることによって、第２の連結部との相対位置を変更することができる。
【００４８】
図３に示す実施形態においては第２の連結部１１と第３の連結部２０が同一の素材によって一体化されている。これにより、本発明の連結具の強度が高くなる。
【００４９】
本発明の連結部は、互いに分離可能となるように連結されていても良い。これにより、例えば第１の連結部を携行品に連結したまま、第２の連結部及び第３の連結部を第１の連結部から分離して取り外すことができる。
【００５０】
図４は本発明の連結具の構造図の一例を示している。第１の連結部（雄ねじ）８を底板９と上蓋１０で挟み込む構造となっている。底板９と第１の連結部（雄ねじ）８とは若干の遊びを設けた穴を通して貫通しており第１の連結部（雄ねじ）８が自由に回転できる構造となっている。
【００５１】
上蓋１０と底板９とで第１の連結部（雄ねじ）８を挟み込んで組立てた状態では、底板９の表面と第１の連結部（雄ねじ）８、ならびに上蓋１０の内壁と第１の連結部（雄ねじ）８の間には若干の隙間が出来るようになっており、第１の連結部（雄ねじ）８は自由に回転する事ができる。
【００５２】
第２の連結部（フック）１１は上蓋１０に埋め込まれた構造になっており、２ｋｇ程度の一眼レフカメラでも保持する事ができる十分な強度が保たれている。
【００５３】
第２の連結部（フック）１１は底板９に接続されても良い。
【００５４】
底板９と上蓋１０はねじ１２，１３によって固定されてもよい。
【００５５】
底板９と上蓋１０は接着材で固定されてもよい
【００５６】
底板９と上蓋１０は第１の連結部（雄ねじ）８と一体成型で作成し底板９と上蓋１０は一体構造となってもよい。
【００５７】
底板９の携行品と接する部分には回転止め、衝撃緩衝のためにゴム、フェルトもしくはスポンジ等のクッション１４，１５を貼り付けてもよい。
【００５８】
図５はカメラスタンドに固定可能な雌ねじ（連結具側）１６を具備することを特徴とする本発明の例である。ここでは第３の連結部に雌ねじを有している。これにより、図６に示すように、カメラ等の携行品を、雄ねじを有するカメラスタンドに本発明の連結具を具備したまま取り付けることができる。
【００５９】
本発明の連結具を使用する際には、同時にストラップを携行品に取り付けて、首にストラップを掛けるなどしておけば、万が一、本発明の連結具による連結状態が予期せず解けても、携行品が落下することがなく、また、本発明の連結具によって携行品が衣服に連結されている場合には、首に負担がかからないので便利である。
【実施例】
【００６０】
以下に実施例に基づいて本発明を説明する。
図７は本発明の連結具を使用している状態を示している。表１に示す本発明の実施例及び表２に示す比較例について以下の試験を行った。
[試験]
（１）携行品としての一眼レフカメラに本発明の連結具または比較例の連結具を取り付け、リュックサックのＤ管に連結した。
（２）図７のようにリュックサックを背負い、一眼レフカメラを装着した状態で歩行と走行を行った。
（３）歩行または走行時の一眼レフカメラの挙動を記録した。
（４）次に、携行品の着脱に要する時間を測定した。
【００６１】
実施例における第３の連結部としては硬質な材料として銅を用いた。銅のヤング率は約１３０ＧＰａである。
比較例における第３の連結部としては低密度ポリエチレンを用いた。低密度ポリエチレンのヤング率は約０．２ＧＰａである。
【００６２】
尚、本発明における効果をよりよく奏するためには、第３の連結部の材質はポリプロピレンと同等以上の硬質性を有していることが好ましい。ヤング率にすると２ＧＰａ以上であることが好ましい。これよりも柔らかい材質になると第３の連結部の可撓性が高くなってしまい、携行品の安定性が低くなるなどの問題が生じる。
【００６３】
試験の結果を表３のＡ〜Ｅの不具合モードに分けて表１及び表２に示す。表中の「回転」の欄には携行品の回転に起因する不具合の有無を記録してある。また、「振動」の欄には携行品の振動に起因する不具合の有無を記録してある。特に不具合がなく実用上問題とならない場合には「○」、不具合の程度が弱い場合には各具合モードの横に「＋」を付した。また、総合判定は「判定」の欄に記入し、３つ以上の不具合モードに該当し且つ「＋」が付された不具合モードが１つもない場合には「×」、不具合モードの該当がない場合には「◎」、それ以外の場合を「○」とした。
【００６４】
[不具合モードの説明]
ここで表３の不具合モードについて説明する。図８（ａ）は不具合モードＡの様子を表している。この不具合は第３の連結部を柔らかい紐のようなもので構成した場合に携行品が著しく安定性を欠いて発生するモードであり、携行品が人体側に反転する程度またはそれ以上回転して、人体に衝突する不具合である。
【００６５】
【表１】
2011136130.tif 000003
【００６６】
【表２】
2011136130.tif 000004
【００６７】
【表３】
2011136130.tif 000005
【００６８】
図８（ｂ）は不具合モードＢの様子を表している。この不具合は第３の連結部が柔らかい紐のようなもので構成されているか、第３の連結部が比較的長い場合に生じるモードであって、携行品が前後左右に振れて人体に衝突する不具合である。なお、斜面や階段を登る場合や森林などの障害物の多い場所を移動する場合にはこのモードによって人体のみならず周囲に携行品が衝突する可能性が高くなるが、本発明の効果によってその可能性が低減される。
【００６９】
不具合モードＣは図８（ｃ）に示すように、携行品の表面からの連結具の長さＬが長いために、携行品を衣服等から外して本来の機能を使用する際に、操作性が悪くなるという不具合である。
【００７０】
不具合モードＤは、図８（ｄ）に示すように、携行品が反転するほどではないが、回転を伴って前後または左右に振れて体に衝突するというモードである。なお、このモードによっても斜面や階段を登る場合や森林などの障害物の多い場所を移動する場合には人体のみならず周囲に携行品が衝突する可能性が高くなるが、本発明の効果によってその可能性が低減される。
【００７１】
不具合モードＥは、本発明の連結具を取り付けた携行品の装着または取り外しに時間がかかるという不具合である。装着または取り外しに要する時間のいずれかが平均で４秒以上かかった場合に本モードに該当するものとした。以下に携行品の着脱に要する時間の測定について詳細に説明する。
【００７２】
[装着試験]
携行品の着脱に要する時間の測定として、まず装着試験を１０回行った。結果を表４及び図９に示す。装着時間とは手元の携行品を手に取ってから衣服等のリング状部に携行品を本発明の連結具を介して装着するまでの時間である。
【００７３】
【表４】
2011136130.tif 000006
【００７４】
図９は表４の平均値をプロットしたグラフである。なお、連結具の長さＬと装着時間又は取り外し時間との相関においては変曲点が存在するため、変曲点付近では表１及び表２に掲げる実施例及び比較例以外の長さ（２５ｍｍと３０ｍｍ）についてもデータの測定を行い、本発明の効果をより詳細に確認した。
【００７５】
装着試験の結果から、装着時間は携行品の表面から測った連結具の長さＬに比例しないことがわかった。連結具の長さＬが３００ｍｍ以上になると装着に平均で４秒以上かかった。また、連結具の長さＬが１５ｍｍ以下になると、携行品が衣服等のリング状部に近づくために、第２の連結部をリング状部に連結させる作業の妨げとなり、平均で３秒以上の時間がかかった。また、連結具の長さＬが２０ｍｍ〜１５０ｍｍの場合には装着時間が３秒以下となり、素早く装着することができた。さらに、連結具の長さＬが２０ｍｍ〜８０ｍｍの場合には装着時間が２秒以下となり、より素早く装着することができた。
【００７６】
[取り外し試験]
次に、携行品の着脱に要する時間の測定として、取り外し試験を１０回行った。結果を表５及び図１０に示す。一眼レフカメラ、その他携行品は両手で安定的に保持できる状態で操作することが望ましいため、この測定では携行品を衣服等のリング状部から取り外してから、両手で安定的に保持するまでに要した時間を測定した。取り外しの行為は携行品が突然必要な場合に行う行為なので、ここで要する時間が短いことは発明の効果として特に重要である。
【００７７】
【表５】
2011136130.tif 000007
【００７８】
図１０は表５の平均値をプロットしたグラフである。なお、表５と図１０に示す結果は、第１の連結部と第２の連結部が図１２のようにほぼ同軸上に連結されている場合の取り外し時間１のデータである。
【００７９】
次に、図１３のように第１の連結部と第２の連結部が同軸上にない位置で連結されている場合の取り外し時間２を表６及び図１１に示す。
【００８０】
取り外し試験の結果から、取り外し時間は連結具の長さＬに比例しないことがわかった。上記取り外し時間１よりも取り外し時間２のほうが、連結具の長さが短い場合において若干短いが、全体としては、両取り外し時間の差は微小であった。
【００８１】
表５、表６に示すように、連結具の長さＬが２００ｍｍ以上になると衣服等からの取り外しに平均で４秒以上かかった。また、表５の取り外し時間１に示すように、連結具の長さが１５ｍｍ以下になると、携行品が衣服等のリング状部に近づくために、第２の連結部をリング状部に連結を解く作業の妨げとなり、平均で４秒以上の時間がかかった。また、連結具の長さＬが２０ｍｍ〜１５０ｍｍの場合には取り外し時間が平均で約３秒〜３．５秒で素早く取り外すことができた。さらに、連結具の長さＬが２０ｍｍ〜１００ｍｍの場合には取り外し時間の平均値が約３秒となり、より素早く取り外すことができた。
【００８２】
【表６】
2011136130.tif 000008
【００８３】
第１の連結部と第２の連結部がほぼ同軸上にある場合とない場合の対比においては、取り外し時間の差は微小であったが、図１３に示すように両連結部が同軸上にないほうが、本発明の実施形態として、より好ましい。
【００８４】
図１２に示すように両連結部がほぼ同軸上、または重複する位置にある場合には携行品の厚みに起因して携行品と衣服等との間に比較的大きなスペースができ、携行品が傾いた状態となる。一方、図１３に示すように両連結部が同軸上にない、または重複する位置にない場合には、携行品と衣服等との間のスペースが殆どなくなり、安定した姿勢となるため、上述した回転や振動による不具合モードがより発生しにくくなるという効果を奏する。
ところで、上述の第３の連結部が第１の連結部と前記第２の連結部との相対位置を可変とする機構を具備する本発明によれば、図１２または図１３のいずれの本発明の形態も構成し得る。
【００８５】
以上、本発明を実施の形態を用いて説明したが、本発明の技術的範囲は上記実施の形態に記載の範囲には限定されない。上記実施の形態に、多様な変更または改良を加えることができることは当業者に明らかである。その様な変更または改良を加えた形態も本発明の技術的範囲に含まれ得ることが、特許請求の範囲の記載から明らかである。
【図面の簡単な説明】
【００８６】
【図１】リュックサックのリング状部に連結具を介して携行品を連結した状態の側面図
【図２】本発明の連結具の詳細図
【図３】第１の連結部と第２の連結部の相対位置が可変とされた実施形態の図
【図４】本発明の連結具の実施形態の断面図
【図５】雌ねじを有する本発明の実施形態の図
【図６】本発明の連結具を介して携行品（カメラ）をカメラスタンドに接続した状態。
【図７】人がリュックサックを背負って本発明の連結具を介して携行品を装着した状態。
【図８】不具合モードＡ〜Ｄの説明図。
【図９】装着試験の結果を表すグラフ。
【図１０】取り外し試験の結果を表すグラフ。
【図１１】取り外し試験の結果を表すグラフ。
【図１２】連結部１と連結部２がほぼ同軸上に位置する場合の携行品の装着状態を表す図。
【図１３】連結部１と連結部２が同軸上に位置しない場合の携行品の装着状態を表す図。
【符号の説明】
【００８７】
１  連結具
２  携行品（一眼レフカメラ）
３  リュックサック
４  雌ねじ（カメラ側）
５  リュックサックの肩ひも
６  リング状部（Ｄ管）
７  リング上部（ベルト通し）
８  第１の連結部（雄ねじ）
９  底板
１０  上蓋  
１１  第２の連結部（フック）
１２  ねじ
１３  ねじ
１４  クッション
１５  クッション
１６  雌ねじ（連結具側）
１７  つまみ
１８  貫通孔
１９  スリット
２０  第３の連結部
【図１】
2011136130.tif 000009
【図２】
2011136130.tif 000010
【図３】
2011136130.tif 000011
【図４】
2011136130.tif 000012
【図５】
2011136130.tif 000013
【図６】
2011136130.tif 000014
【図７】
2011136130.tif 000015
【図８】
2011136130.tif 000016
【図９】
2011136130.tif 000017
【図１０】
2011136130.tif 000018
【図１１】
2011136130.tif 000019
【図１２】
2011136130.tif 000020
【図１３】
2011136130.tif 000021
【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
衣服または衣服の固定具または携行用の物入れのいずれかと携行品とを連結するための連結具であって、前記携行品と前記連結具とを連結するための雄ねじからなる第１の連結部と、前記衣服または衣服の固定具または携行用の物入れと前記連結具とを連結するための開放部を有するフックからなる第２の連結部と、前記第１の連結部と前記第２の連結部とを連結するための第３の連結部とを有し、前記第３の連結部はヤング率が２ＧＰａ以上の材料からなり、前記携行品に取り付けられた状態における前記携行品の表面からの全長が１５ｍｍより長く１００ｍｍ未満であって、前記第２の連結部と第３の連結部は互いに固定されており、前記第１の連結部と第３の連結部は少なくとも携行品に取り付けられた状態で互いに固定されることを特徴とする連結具。
【請求項２】
前記携行品の表面からの全長が２０ｍｍ以上６０ｍｍ以下であることを特徴とする請求項１に記載の連結具。
【請求項３】
前記第２の連結部は前記雄ねじの軸中心から前記フックの開放方向とは反対の方向にずれた位置に固定されたことを特徴とする請求項１又は２に記載の連結具。
【請求項４】
前記第３の連結部は前記第１の連結部と前記第２の連結部との相対位置を可変とする機構
を具備することを特徴とする請求項２に記載の連結具。
【請求項５】
前記第３の連結部は少なくとも前記第１の連結部または前記第２の連結部のいずれかと一体化されていることを特徴とする請求項２に記載の連結具。
【請求項６】
カメラスタンドに固定可能な雌ねじを具備することを特徴とする請求項２に記載の連結具。
【請求項７】
請求項１に記載の連結具を備えることを特徴とする携行品。
【手続補正２】
【補正対象書類名】明細書
【補正対象項目名】００１２
【補正方法】変更
【補正の内容】
【００１２】
このような従来の実情に鑑みて提案された本発明の連結具は、衣服または衣服の固定具または携行用の物入れのいずれかと携行品とを連結するための連結具であって、前記携行品と前記連結具とを連結するための雄ねじからなる第１の連結部と、前記衣服または衣服の固定具または携行用の物入れと前記連結具とを連結するための開放部を有するフックからなる第２の連結部と、前記第１の連結部と前記第２の連結部とを連結するための第３の連結部とを有し、前記第３の連結部はヤング率が２ＧＰａ以上の材料からなり、前記携行品に取り付けられた状態における前記携行品の表面からの全長が１５ｍｍより長く１００ｍｍ未満であって、前記第２の連結部と第３の連結部は互いに固定されており、前記第１の連結部と第３の連結部は少なくとも携行品に取り付けられた状態で互いに固定されることを特徴とする。
【手続補正３】
【補正対象書類名】明細書
【補正対象項目名】００１４
【補正方法】変更
【補正の内容】
【００１４】
また本発明の連結具は、前記第２の連結部が前記雄ねじの軸中心から前記フックの開放方向とは反対の方向にずれた位置に固定されたことを特徴とする。
【手続補正４】
【補正対象書類名】明細書
【補正対象項目名】００１５
【補正方法】変更
【補正の内容】
【００１５】
これにより、図１３に示すように、携行品と衣服等との間のスペースが殆どなくなり、安定した姿勢となるため、回転や振動による不具合がより発生しにくくなる。